(57)【要約】【課題】ドアを薄くしてデザイン性を向上できると共に、誤操作を簡単に防ぐことができるドラム式洗濯機を提供する。【解決手段】ドラム式洗濯機は、外箱と、外箱の開口部に開閉可能に取り付けられたドア(２)と、ドア(２)を回動可能に支持するヒンジ部と、外箱の開口部の左側または右側の他方に設けられた係合凹部と、ドア(２)の外縁側に設けられた係合ツメ(１１)と、ドア(２)の外縁側に取り付けられた押しボタン(１０)と、ドア(２)が閉められると、ドア(２)の係合ツメ(１１)を外箱の係合凹部に係合させる一方、ドア(２)を閉じた状態で、押しボタン(１０)が押されたときにドア(２)の外側から中央側に向かってスライドすることによって、係合ツメ(１１)を係合凹部から外れるように係合ツメ(１１)をドア(２)の中央側に向けて移動させる係脱機構(１２,１２a〜１２e,１０２〜１０５,１１１〜１１５,１２１,１２２)を備える。【選択図】図４Ｂ
2015195975.tif 000002
【特許請求の範囲】
【請求項１】
前面側に設けられた開口部を有する外箱と、
上記外箱の開口部に開閉可能に取り付けられたドアと、
上記外箱の開口部の左側または右側の一方に設けられ、上記ドアを回動可能に支持するヒンジ部と、
上記外箱の開口部の左側または右側の他方に設けられた係合凹部と、
上記ドアの外縁側に設けられ、上記ドアを閉めた状態で上記係合凹部と係合する係合ツメと、
上記ドアの外縁側に上記ドアの外縁側から中央側に向かってスライド可能に取り付けられた押しボタンと、
上記ドアが閉められると、上記ドアの上記係合ツメを上記外箱の上記係合凹部に係合させる一方、上記ドアを閉じた状態で、上記押しボタンが押されたときに上記ドアの外側から中央側に向かってスライドすることによって、上記係合ツメを上記係合凹部から外れるように上記係合ツメを上記ドアの中央側に向けて移動させる係脱機構と
を備えたことを特徴とするドラム式洗濯機。
【請求項２】
請求項１に記載のドラム式洗濯機において、
上記押しボタンと上記係合ツメとを連結すると共に、上記ドアに外縁側から中央側に向かってスライド可能に取り付けられた連結部材を備えたことを特徴とするドラム式洗濯機。
【請求項３】
請求項２に記載のドラム式洗濯機において、
上記連結部材は、上記押しボタンと上記係合ツメのうちの少なくともどちらかと一体に形成されていることを特徴とするドラム式洗濯機。
【請求項４】
請求項１から３までのいずれか１つに記載のドラム式洗濯機において、
上記ドアを閉じた状態で上記押しボタンの後面側に、上記ドアの外縁側に一部が開口する把手用窪み部を設けたことを特徴とするドラム式洗濯機。
【請求項５】
請求項１から４までのいずれか１つに記載のドラム式洗濯機において、
上記係脱機構は、上記ドアの外縁側から中央側に向かってスライド可能に取り付けられたスライド部材と、上記ドアに設けられ、上記スライド部材をスライド可能に案内するガイド部材と、上記スライド部材の内側に配置され、上記スライド部材を上記ドアの中央側から外側に向かって付勢するバネ部材とを有し、
上記スライド部材が、上記押しボタンおよび上記係合ツメと共に上記ドアの外縁側から中央側に向かってスライドすることを特徴とするドラム式洗濯機。
【発明の詳細な説明】
【技術分野】
【０００１】
この発明は、ドラム式洗濯機に関する。
【背景技術】
【０００２】
従来、ドラム式洗濯機としては、ユーザーがドアを開閉するときに、ドアの把手部を用いて開閉するものがある(例えば、特開２０１２−１１０８８号公報(特許文献１)参照)。上記ドラム式洗濯機では、把手部を手前に引くことにより把手部が回動して、その把手部の回動に連動してロックツメが回動することにより、ドアのロックツメと筐体側のロック穴との係合が外れてドアが開く。
【先行技術文献】
【特許文献】
【０００３】
【特許文献１】特開２０１２−１１０８８号公報
【発明の概要】
【発明が解決しようとする課題】
【０００４】
ところで、上記ドラム式洗濯機では、ドアの把手部とロックツメの回動構造が必要なため、ドアの厚み方向の寸法が長くなって、デザイン性が限定されてしまうという問題がある。また、上記ドラム式洗濯機では、ドアの把手部を手前に引いてドアを開く構成であるため、把手用の部品が大きくなってしまい、ドアの把手部を覆うドア周囲のデザイン性が限定される。
【０００５】
また、上記ドラム式洗濯機では、ドアの把手部の部分を手前に引く操作方法がわかりにくく、ユーザーが把手部を押しボタンのように本体の奥側に押し込んで、把手部を壊してしまう可能性がある。
【０００６】
そこで、この発明の課題は、ドアを薄くできるドラム式洗濯機を提供することにある。
また、この発明は、誤操作を防ぐことができるドラム式洗濯機を提供することにある。
【課題を解決するための手段】
【０００７】
上記課題を解決するため、この発明のドラム式洗濯機は、
前面側に設けられた開口部を有する外箱と、
上記外箱の開口部に開閉可能に取り付けられたドアと、
上記外箱の開口部の左側または右側の一方に設けられ、上記ドアを回動可能に支持するヒンジ部と、
上記外箱の開口部の左側または右側の他方に設けられた係合凹部と、
上記ドアの外縁側に設けられ、上記ドアを閉めた状態で上記係合凹部と係合する係合ツメと、
上記ドアの外縁側に上記ドアの外縁側から中央側に向かってスライド可能に取り付けられた押しボタンと、
上記ドアが閉められると、上記ドアの上記係合ツメを上記外箱の上記係合凹部に係合させる一方、上記ドアを閉じた状態で、上記押しボタンが押されたときに上記ドアの外側から中央側に向かってスライドすることによって、上記係合ツメを上記係合凹部から外れるように上記係合ツメを上記ドアの中央側に向けて移動させる係脱機構と
を備えたことを特徴とする。
【０００８】
また、一実施形態のドラム式洗濯機では、
上記押しボタンと上記係合ツメとを連結すると共に、上記ドアに外縁側から中央側に向かってスライド可能に取り付けられた連結部材を備えた。
【０００９】
また、一実施形態のドラム式洗濯機では、
上記連結部材は、上記押しボタンと上記係合ツメのうちの少なくともどちらかと一体に形成されている。
【００１０】
また、一実施形態のドラム式洗濯機では、
上記ドアを閉じた状態で上記押しボタンの後面側に、上記ドアの外縁側に一部が開口する把手用窪み部を設けた。
【００１１】
また、一実施形態のドラム式洗濯機では、
上記係脱機構は、上記ドアの外縁側から中央側に向かってスライド可能に取り付けられたスライド部材と、上記ドアに設けられ、上記スライド部材をスライド可能に案内するガイド部材と、上記スライド部材の内側に配置され、上記スライド部材を上記ドアの中央側から外側に向かって付勢するバネ部材とを有し、
上記スライド部材が、上記押しボタンおよび上記係合ツメと共に上記ドアの外縁側から中央側に向かってスライドする。
【発明の効果】
【００１２】
以上より明らかなように、この発明によれば、ドアが閉められると、ドアの係合ツメを外箱の係合凹部に係合させる一方、ドアを閉じた状態で、押しボタンが押されてドアの外縁側から中央側に向かってスライドすることによって、係合ツメを係合凹部から外れるように係合ツメをドアの中央側に向けて移動させる係脱機構を備えることによって、ドアを薄くできる。
【００１３】
また、誤操作を防ぐことができるドラム式洗濯機を実現できる。
【図面の簡単な説明】
【００１４】
【図１】図１はこの発明の第１実施形態のドラム式洗濯乾燥機の斜視図である。
【図２】図２は上記ドラム式洗濯乾燥機のドアを開けた状態の斜視図である。
【図３】図３は上記ドアの裏面図である。
【図４Ａ】図４Ａは上記ドアの押さえ部材を外した状態の裏面図である。
【図４Ｂ】図４Ｂは図４Ａの要部の拡大図である。
【図４Ｃ】図４Ｃは図１のＡ−Ａ線から見た要部の断面図である。
【図４Ｄ】図４Ｄは図１のＡ−Ａ線から見た要部の断面図である。
【図５Ａ】図５Ａは上記ドアの押しボタンが押されたときの押さえ部材を外した状態の裏面図である。
【図５Ｂ】図５Ｂは図５Ａの要部の拡大図である。
【図５Ｃ】図５Ｃは上記ドアの押しボタンが押されたときの図１のＡ−Ａ線から見た要部の断面図である。
【図６Ａ】図６Ａはこの発明の第２実施形態のドラム式洗濯乾燥機のドアの裏面図である。
【図６Ｂ】図６Ｂは図６Ａの要部の拡大図である。
【図７Ａ】図７Ａは上記ドアの押しボタンが押されたときの状態の裏面図である。
【図７Ｂ】図７Ｂは図７Ａの要部の拡大図である。
【図８】図８はこの発明の第３実施形態のドラム式洗濯乾燥機のドアの裏面側から見た要部の拡大図である。
【発明を実施するための形態】
【００１５】
以下、この発明のドラム式洗濯機を図示の実施の形態により詳細に説明する。
【００１６】
〔第１実施形態〕
図１はこの発明の第１実施形態のドラム式洗濯機の一例としてのドラム式洗濯乾燥機の斜視図を示している。
【００１７】
この第１実施形態のドラム式洗濯乾燥機は、図１に示すように、外箱１と、開口部４(図２に示す)を開閉する円盤形状のドア２と、外箱１内に配置された洗濯槽(図示せず)と、その洗濯槽内に回転可能に配置された回転ドラム３を備える。また、外箱１の前面上側に、運転動作を選択して指示入力すると共に運転状態を表示する操作パネル６を設けている。また、外箱１の天面の左後面側に給水ホース接続口７と風呂水吸水口８を設けている。また、外箱１の天面の右後面側に乾燥フィルタ装置９を装着している。また、外箱１の前面の左上側に洗剤ケース６１を装着し、外箱１の前面の左下側に糸くずフィルタ装置６２を装着している。なお、図１において、６３は排水ホース接続口である。
【００１８】
また、ドア２の外縁側にドア２の外縁側から中央側に向かってスライド可能にした押しボタン１０を取り付けている。
【００１９】
図２はドラム式洗濯乾燥機のドア２を開けた状態の斜視図を示している。
【００２０】
図２に示すように、略円盤状のドア２を、ドア取付金具２０と外箱１側のヒンジ部３０を介して外箱１の開口部４に取り付けている。外箱１の開口部４の左側に設けられたヒンジ部３０は、ドア２を回動可能に支持する。なお、外箱１の開口部４の内縁側に環状の枠部材５を取り付けている。
【００２１】
また、ドア２の外縁側かつ押しボタン１０の下側に係合ツメ１１を設けている。一方、外箱１の開口部４の右側に、係合凹部４２aを有するロック機構４０を設けている。ドア２を閉めた状態で係合ツメ１１が係合凹部４２aと係合する(図４Ｄ参照)。
【００２２】
なお、ヒンジ部３０を外箱１の開口部４の右側に設け、ロック機構４０を外箱１の開口部４の左側に設けてもよい。
【００２３】
ドア２が閉められると、ドア２の係合ツメ１１が外箱１の係合凹部４２aに係合する一方、ドア２を閉じた状態で、押しボタン１０が押されてドア２の外縁側から中央側に向かってスライドすることによって、係合ツメ１１をドア２の中央側に向けて移動させて係合ツメ１１が係合凹部４２aから外れる。
【００２４】
また、外箱１内に配置された洗濯槽(図示せず)および回転ドラム３は、ドア２側に開口しており、ドア２を開くことにより外箱１の開口部４を介して回転ドラム３内に乾燥対象物(図示せず)を出し入れできる。また、ドア２を閉じることで、洗濯槽は水密かつ気密が保たれる。
【００２５】
また、上記ドラム式洗濯乾燥機は、外箱１内の背面側下部に配置された乾燥用のヒートポンプユニット(図示せず)と、そのヒートポンプユニットを介して洗濯槽内の空気を循環させるための循環経路を備えている。
【００２６】
上記構成のドラム式洗濯乾燥機では、操作パネル６(図１に示す)から運転コースの選択や各工程の時間設定などが入力されると、その選択情報や設定情報が入力された制御装置(図示せず)によって、例えば洗濯から乾燥までの一連の動作を実行する。
【００２７】
図３はドア２の裏面図を示している。ドア２は、図３に示すように、環状の支持枠２１と、その環状の支持枠２１の内側に取り付けられた円錐台形状のガラス製の窓部材２２と、環状の支持枠２１の正面視右側(図３では左側)に取り付けられたカバー部材２３と、環状の支持枠２１の正面視左側(図３では右側)に取り付けられた接続部材２４と、環状の支持枠２１の裏面側に取り付けられた環状の押さえ部材２５とを有している。接続部材２４には、図２に示すドア取付金具２０を介してヒンジ部３０が接続される。
【００２８】
また、ドア２は、環状の支持枠２１の正面視右側(図３では左側)に押しボタン１０と係合ツメ１１を有する。図３では、係合ツメ１１は、図２に示す外箱１の係合凹部４２aに係合可能な位置に半径方向外向に突出している。
【００２９】
また、図４Ａはドア２の押さえ部材２５を外した状態の裏面図を示している。図４Ａに示すように、押しボタン１０を、連結部材の一例としての円弧状に湾曲したスライド部材１２に設けている。この第１実施形態では、押しボタン１０とスライド部材１２を樹脂成形により一体に形成している。そして、スライド部材１２の下側に係合ツメ１１を嵌合して固定している。このようにして、スライド部材１２により押しボタン１０と係合ツメ１１を連結している。なお、係合ツメ１１もスライド部材と一体に形成してもよい。
【００３０】
図４Ｂは図４Ａの要部の拡大図を示している。スライド部材１２は、環状の支持枠２１に取付けられた取付アングル１４にスライド可能に保持されている。取付アングル１４は、両端部に固定片１４a,１４bが一体形成されている。取付アングル１４は、固定片１４ａ,１４ｂをビス等にて支持枠２１に固定される。
【００３１】
固定片１４a,１４bとの間は、スライド部材１２をスライド可能に保持するために一段低くした凹部１４c(図４Ｃ参照)が形成されている。この凹部１４cにスライド部材１２が収容、保持されてスライド可能に設けられている。固定片１４a,１４bは、凹部１４cから立ち上がった壁面部分をスライド部材１２の上下端を案内するガイド部材１４１a,１４１bとしている。
【００３２】
また、スライド部材１２の押しボタン１０と係合ツメ１１との間(スライド部材１２のほぼ中央部)に、スライド方向が長手方向の長穴形状の第１案内溝１２aを設けている。また、スライド部材１２の押しボタン１０の上端に対応する箇所に第２案内溝１２bを設けると共に、スライド部材１２の押しボタン１０の下端に対応する箇所に第３案内溝１２cを設けている。また、スライド部材１２の第１案内溝１２aの下側に第４案内溝１２dを設けると共に、スライド部材１２の係合ツメ１１よりも下側に第５案内溝１２eを設けている。第１〜第５案内溝１２a〜１２eは、取付アングル１４の上下のガイド部材１４１a,１４１bの案内部分と同様に、スライド方向が例えば水平方向にかつ互いに平行に設けられている。
【００３３】
上記第１案内溝１２a内に、取付アングル１４に(凹部１４cに)突出して設けられた円柱形状の第１突起部１１１を挿入している。また、第２案内溝１２b内に、取付アングル１４に突出して設けられた第２突起部１１２を挿入している。また、第３案内溝１２c内に、取付アングル１４に突出してに設けられた第３突起部１１３を挿入している。また、第４案内溝１２d内に、取付アングル１４に突出して設けられた第４突起部１１４を挿入している。また、第５案内溝１２e内に、取付アングル１４に突出して設けられた第５突起部１１５を挿入している。
【００３４】
これにより、スライド部材１２は、ドア２に外縁側から中央側に向かって、ガイド部材１４１a,１４１bを含めてガイドされスライド可能に取り付けられている。
【００３５】
上記第２案内溝１２b内に、スライド部材１２を外向に付勢するコイルバネ１０２を縮装している。また、第３案内溝１２c内に、スライド部材１２を外向に付勢するコイルバネ１０３を縮装している。また、第４案内溝１２d内に、スライド部材１２を外向に付勢するコイルバネ１０４を縮装している。また、第５案内溝１２e内に、スライド部材１２を外向に付勢するコイルバネ１０５を縮装している。このコイルバネ１０２〜１０５により、押しボタン１０と係合ツメ１１を連結するスライド部材１２が、ドア２の中央側から外側に向かって付勢されている。
【００３６】
上記スライド部材１２と、第１〜第５案内溝１２a〜１２eと、コイルバネ１０２〜１０５と、第１〜第５突起部１１１〜１１５およびガイド部材１４１a,１４１bで係脱機構を構成している。なお、スライド部材１２をスライド方向へと案内(ガイド)は、第１〜第５案内溝１２a〜１２eと、第１〜第５突起部１１１〜１１５で兼用させることができる。この場合、上記ガイド部材１４１a,１４１bを不要にすることができる。
【００３７】
図４Ｃ,図４Ｄは図１のＡ−Ａ線から見た要部の断面図を示しており、図４Ｃは、係合ツメ１１が係合凹部４２aに係合する直前の状態を表し、図４Ｄは、係合ツメ１１が係合凹部４２aに係合した状態を表している。図４Ｃ,図４Ｄにおいて、図１〜図３に示す構成と同一の構成部には同一参照番号を付している。なお、図４Ｃにおいて、２６は透明樹脂製の前面カバーであり、また、係合ツメ１１が嵌合するスライド部材１２は示していない。
【００３８】
図４Ｃ,図４Ｄに示すように、係合凹部４２aは、ハウジング４１内にスライド可能に収納されたスライド部４２内に形成されている。
【００３９】
図４Ｃに示すように、係合ツメ１１は、基部１１aと、その基部１１aから外箱１側(図４Ｃの上側)に延びるアーム１１bと、アーム１１bの先端からスライド方向外向に屈曲する鉤部１１cを有している。この係合ツメ１１の鉤部１１cの先端側に湾曲面１１dを形成している。係合ツメ１１の鉤部１１cの湾曲面１１dに、ハウジング４１に設けられたテーパー面４１aが当接する。
【００４０】
そして、図４Ｃの状態からドア２が押し込まれると、係合ツメ１１の鉤部１１cの湾曲面１１dが、ハウジング４１のテーパー面４１aによりスライド方向内向に押され(図４Ｃにおいて左方向に移動)、押しボタン１０(図４Ｂに示す)および係合ツメ１１と共にスライド部材１２(図４Ｂに示す)が中央側へとスライドする。これにより、スライド部４２の係合凹部４２a内に係合ツメ１１の鉤部１１cが没入する。
【００４１】
上記係合ツメ１１の鉤部１１cがスライド部４２の係合凹部４２a内に没入すると、スライド部材１２が、各コイルバネ１０２〜１０５の付勢力により、中央側とは反対の外側方向に移動する。これにより、図４Ｄに示すように、押しボタン１０および係合ツメ１１と共にスライド部材１２が外側方向にスライドして、ドア２側の係合ツメ１１は、係合凹部４２aに係合した状態に保持される。
【００４２】
このとき、例えば洗濯工程を実行するとき、ロック機構４０に設けたプランジャなどを駆動してスライド部４２の動きを規制することによって、押しボタン１０が押されても係合ツメ１１が係合凹部４２aから外れないようにしている。
【００４３】
また、図５Ａはドア２の押しボタン１０が押されたときの状態の裏面図を示しており、図４Ａとの違いは、押しボタン１０と共にスライド部材１２がドア２の外縁側から中央側に向かってスライドしている点である。これにより、スライド部材１２に固定された係合ツメ１１もドア２の外側から中央側に向かって移動している。
【００４４】
図５Ｂは図５Ａの要部の拡大図を示し、図５Ｃはドア２の押しボタン１０が押されたときの図１のＡ−Ａ線から見た要部の断面図を示している。図５Ｂ,図５Ｃにおいて、一点鎖線で示す図形は、押しボタン１０と係合ツメ１１とスライド部材１２がドア２の外側から中央側に向かってスライドする前の状態を示している。
【００４５】
図５Ｂに示すように、押しボタン１０が押されて、押しボタン１０と係合ツメ１１とスライド部材１２がドア２の外側から中央側に向かってスライドすると、各コイルバネ１０２〜１０５は圧縮される。それにより、図５Ｃに示すように、係合ツメ１１が係合凹部４２aから外れる。このとき、ドア２は、ヒンジ部３０により開く方向に付勢されていることにより、ドア２と外箱１との間に手が入るように少し開く。
【００４６】
上記構成のドラム式洗濯機によれば、ドア２を閉めたとき、係脱機構によってドア２の係合ツメ１１を外箱１の係合凹部４２aに係合させる。一方、ドア２を閉じた状態で押しボタン１０が押されると、係脱機構によって、ドア２の外縁側から中央側に向かって押しボタン１０がスライドすることで、係合ツメ１１をドア２の中央側に向けて移動させて、係合ツメ１１が係合凹部４２aから外れる。このように、押しボタン１０と係合ツメ１１を回動させる機構が必要なく、ドア２の主たる平面に沿って押しボタン１０と係合ツメ１１が直線的に移動する簡単な構成で、ドア２の係合ツメ１１を外箱１の係合凹部４２aに係脱自在にでき、押しボタンと係合ツメを回動させる機構の場合よりも、ドア２の厚さ方向の幅を薄くできる。したがって、ドア２を薄くしてデザイン性を向上できる。また、押しボタン１０をドア２の外縁側から中央側に向かって押すだけの単純な操作でドア２を開くことができ、誤操作を簡単に防ぐことができる。
【００４７】
なお、上記第１実施形態では、係脱機構によって押しボタン１０と係合ツメ１１がスライド部材１２と共に直線的に移動したが、係脱機構はこれに限らず、押しボタンがドアの外縁側から中央側に向かってスライドすることにより、係合ツメが係合凹部から外れるように回動する構成としてもよい。
【００４８】
また、上記ドア２に外縁側から中央側に向かってスライド可能に取り付けられたスライド部材１２により押しボタン１０と係合ツメ１１とを連結することによって、押しボタン１０と係合ツメ１１との間のリンク機構などが必要なく、構造を簡略化でき、ドア２の薄型化が図れる。
【００４９】
また、上記押しボタン１０とスライド部材１２を一体に形成することにより、ドア２を開くときに力が加わる操作部の強度を向上できる。なお、押しボタン１０と係合ツメ１１とスライド部材１２を一体に形成してもよい。また、この第１実施形態では、スライド部材１２を連結部材としたが、押しボタンと係合ツメとを連結する連結部材は、スライド部材とは別に設けてもよい。
【００５０】
また、上記ドア２に設けられたガイド部材１４１a,１４１bによって、押しボタン１０および係合ツメ１１と共にスライド部材１２をスライド可能に案内し、そのスライド部材１２の内側に配置されたコイルバネ１０２〜１０５(バネ部材)により、スライド部材１２をドア２の中央側から外側に向かって付勢する。これにより、押しボタン１０が押されないときは、コイルバネ１０２〜１０５により付勢された押しボタン１０と共にスライド部材１２がドア２の中央側から外側に向かって移動するので、ドア２が閉められると、ドア２の係合ツメ１１を外箱１の係合凹部４２aに係合させることが可能になる。また、スライド部材１２を付勢するコイルバネ１０２〜１０５をスライド部材１２の内側に配置することにより、係脱機構を小型化できる。
【００５１】
また、上記第１実施形態では、押しボタン１０を押すというシンプルな操作方法であり、構造も簡単で、万が一誤操作された場合も押しボタン１０が箱型形状であるため、十分な強度が確保されている。
【００５２】
なお、上記第１実施形態では、バネ部材としてコイルバネ１０２〜１０５を用いたが、バネ部材はこれに限らず、板バネなどの他の弾性部材を用いてもよい。
【００５３】
〔第２実施形態〕
図６Ａはこの発明の第２実施形態のドラム式洗濯乾燥機のドア２０２の裏面図を示している。この第２実施形態のドラム式洗濯乾燥機は、押しボタン２１０と係合ツメ２１１を含む要部を除いて第１実施形態のドラム式洗濯乾燥機と同一の構成をしており、図１,図２を援用する。また、図６Ａでは、押さえ部材２５を外した状態を示している。
【００５４】
この第２実施形態のドラム式洗濯乾燥機において、ドア２０２は、図６Ａに示すように、環状の支持枠２２１と、その環状の支持枠２２１の内側に取り付けられた円錐台形状のガラス製の窓部材２２２と、環状の支持枠２２１の正面視左側(図６Ａでは右側)に取り付けられた接続部材２２４とを有している。接続部材２２４には、図２に示すドア取付金具２０を介してヒンジ部３０が接続される。
【００５５】
図６Ｂは図６Ａの要部の拡大図を示している。図６Ｂに示すように、押しボタン２１０を第１スライド部材２１２に設けている。この第２実施形態では、押しボタン２１０と第１スライド部材２１２を樹脂成形により一体に形成している。
【００５６】
第１スライド部材２１２は、環状の支持枠２２１に取付けられた取付アングル２１４にスライド可能に保持されている。取付アングル２１４は、両端部に固定片２１４a,２１４bが一体形成されている。取付アングル２１４は、固定片２１４a,２１４bをビス等にて支持枠２２１に固定される。
【００５７】
固定片２１４a,２１４bとの間は、第１スライド部材２１２をスライド可能に保持するために一段低くした凹部２１４ｃが形成されている。この凹部２１４cに第１スライド部材２１２が収容され、スライド可能に設けられている。第１スライド部材２１２は、その両端部が凹部２１４ｃに設けられたガイド部材２１５a,２１５bに案内される。
【００５８】
この第１スライド部材２１２の押しボタン２１０の上端に対応する箇所にスライド方向、例えばドア２０２のほぼ中心部へと半径方向に沿って第１案内溝２１２aを設けると共に、第１スライド部材２１２の押しボタン２１０の下端に対応する箇所に第１案内溝２１２ａと平行に、ドア２０２のほぼ中心部へと半径方向に沿って第２案内溝２１２bを設けている。
【００５９】
第１案内溝２１２a内に、取付アングル２１４の凹部２１４cより突出する第１突起部２３２を挿入している。また、第２案内溝２１２b内に、取付アングル２１４の凹部２１４cより突出する第２突起部２３３を挿入している。第１案内溝２１２a内に、第１スライド部材２１２を外向に付勢するコイルバネ２４１を縮装している。また、第２案内溝２１２b内に、第１スライド部材２１２を外向に付勢するコイルバネ２４２を縮装している。
【００６０】
このコイルバネ２４１,２４２により、押しボタン２１０と共に第１スライド部材２１２がドア２のほぼ半径方向外向に付勢されている。
【００６１】
また、第１スライド部材２１２の下端側に凹部２１２cを設けている。
【００６２】
そして、第１スライド部材２１２の下側に、ドア２０２の中心部へとほぼ半径方向に延在する基部２１３aとその基部２１３aの半径方向内側端から上記第１スライド部材２１２側へと突出したＬ字状の屈曲する屈曲部２１３bとを有する第２スライド部材２１３を、ドア２のほぼ半径方向にスライド可能に取り付けている。この第２スライド部材２１３には、樹脂成形により係合ツメ２１１を一体に成形している。
【００６３】
この第２スライド部材２１３も、第１スライド部材２１２と同様に、取付アングル２１４の凹部２１４ｃにスライド可能に設けられている。第２スライド部材２１３は、その基部２１３ａの図６Ｂでは上下側が凹部２１４cより突出されたガイド部材２１６a,２１６bに案内される。
【００６４】
また、第２スライド部材２１３の基部２１３aに半径方向に沿って第３案内溝２１３cを設けている。その第３案内溝２１３c内に、取付アングル２１４の凹部２１４ｃより突出した第３突起部２３４を挿入している。第３案内溝２１３c内に、第２スライド部材２１３を半径方向外向に付勢するコイルバネ２４３を縮装している。第２スライド部材２１３の屈曲部２１３bの一側面部(ドア２０２の外周側)は、第１スライド部材２１２の凹部２１２cの先端部分に当接されている。
【００６５】
上記第１スライド部材２１２と、第２スライド部材２１３と、第１〜第３案内溝２１２a,２１２b,２１３cと、コイルバネ２４１〜２４３と、第１〜第３突起部２３２〜２３４および第１スライド部材２１２のガイド部材２１５a,２１５b、第２スライド部材２１３のガイド部材２１６a,２１６bで係脱機構を構成している。なお、第１および第２スライド部材２１２,２１３のスライドを案内する部材を、第１〜第３案内溝２１２a,２１２b,２１３cと第１〜第３突起部２３２〜２３４で兼用することもできる。この場合は、上記ガイド部材２１５a,２１５bおよびガイド部材２１６a,２１６bを不要できる。なお、ガイド部材２１５aまたはガイド部材２１６bは、凹部２１４cから固定片２１４aまたは固定片２１４bへ立ち上がる壁面部分をガイド部材として兼用させることができる。
【００６６】
図７Ａはドア２の押しボタン２１０が押されたときの裏面図を示しており、図７Ｂは図７Ａの要部の拡大図を示している。
【００６７】
図７Ｂにおいて、一点鎖線で示す図形は、押しボタン２１０と係合ツメ２１１と第１,第２スライド部材２１２,２１３が、ドア２の半径方向ほぼ中心部に向けて夫々スライドする前の状態を示している。
【００６８】
図７Ａ,図７Ｂにおいて、ユーザーが押しボタン２１０を押すと、押しボタン２１０と共に第１スライド部材２１２がドア２のほぼ中心部へと半径方向にスライドして、第１スライド部材２１２の凹部２１２cによって、第２スライド部材２１３の屈曲部２１３bの先端がほぼ半径方向内向に押される。これにより、係合ツメ２１１と共に第２スライド部材２１３がほぼ半径方向内向に移動する。
【００６９】
このようにして、ドア２の開閉時に係脱機構(２１２,２１３,２１２a,２１２b,２１３c,２４１〜２４３,２３２〜２３４)によって、押しボタン２１０と係合ツメ２１１は第１実施形態と同様に動作する。
【００７０】
上記第２実施形態のドラム式洗濯乾燥機は、第１実施形態のドラム式洗濯乾燥機と同様の効果を有する。
【００７１】
〔第３実施形態〕
図８はこの発明の第３実施形態のドラム式洗濯機の一例としてのドラム式洗濯乾燥機のドア２の裏面側から見た要部の拡大図を示している。なお、この第３実施形態のドラム式洗濯乾燥機は、押しボタン１０の把手用窪み部１０aを除いて図４Ｂに示す第１実施形態のドラム式洗濯乾燥機のドア２と同様の構成をしており、同一構成部には同一参照番号を付している。
【００７２】
上記構成のドラム式洗濯乾燥機では、ドア２を閉じた状態において、押しボタン１０の後面側にドア２の外縁側に一部が開口する把手用窪み部１０aを設けたことによって、押しボタン１０を押してドア２を開くときに、押しボタン１０の把手用窪み部１０aに手を入れてドアを手前に引くことが可能になり、別に把手を設けることなく操作性を向上できる。
【００７３】
上記第３実施形態のドラム式洗濯乾燥機は、第１実施形態のドラム式洗濯乾燥機と同様の効果を有する。
【００７４】
上記第１〜第３実施形態では、ドラム式洗濯機としてのドラム式洗濯乾燥機について説明したが、乾燥機能を有しないドラム式洗濯機にこの発明を適用してもよい。また、この発明は、ドラム式洗濯機として説明したが、洗濯機能を備えないドラム式乾燥機であってもよい。
【００７５】
また、上記第１〜第３実施形態では、円盤形状のドア２を備えたドラム式洗濯乾燥機について説明したが、ドアの形状はこれに限らず、矩形状などの他の形状のドアを備えたドラム式洗濯機にこの発明を適用してもよい。
【００７６】
この発明の具体的な実施の形態について説明したが、この発明は上記第１〜第３実施形態に限定されるものではなく、この発明の範囲内で種々変更して実施することができる。
【００７７】
この発明および実施形態をまとめると、次のようになる。
【００７８】
この発明のドラム式洗濯機は、
前面側に設けられた開口部を有する外箱１と、
上記外箱１の開口部に開閉可能に取り付けられたドア２,２０２と、
上記外箱１の開口部の左側または右側の一方に設けられ、上記ドア２,２０２を回動可能に支持するヒンジ部３０と、
上記外箱１の開口部の左側または右側の他方に設けられた係合凹部４２aと、
上記ドア２,２０２の外縁側に設けられ、上記ドア２,２０２を閉めた状態で上記係合凹部４２aと係合する係合ツメ１１,２１１と、
上記ドア２,２０２の外縁側に上記ドア２,２０２の外縁側から中央側に向かってスライド可能に取り付けられた押しボタン１０,２１０と、
上記ドア２,２０２が閉められると、上記ドア２,２０２の上記係合ツメ１１,２１１を上記外箱１の上記係合凹部４２aに係合させる一方、上記ドア２,２０２を閉じた状態で、上記押しボタン１０,２１０が押されたときに上記ドア２,２０２の外側から中央側に向かってスライドすることによって、上記係合ツメ１１,２１１を上記係合凹部４２aから外れるように上記係合ツメ１１,２１１を上記ドア２,２０２の中央側に向けて移動させる係脱機構(１２,１２a〜１２e,１０２〜１０５,１１１〜１１５,１２１,１２２)と
を備えたことを特徴とする。
【００７９】
上記構成によれば、ドア２,２０２を閉めたとき、係脱機構(１２,１２a〜１２e,１０２〜１０５,１１１〜１１５,１２１,１２２,２１２,２１３,２１２a,２１２b,２１３c,２４１〜２４３,２３２〜２３４)によってドア２,２０２の係合ツメ１１,２１１を外箱１の係合凹部４２aに係合させる。一方、ドア２,２０２を閉じた状態で押しボタン１０,２１０が押されたとき、係脱機構(１２,１２a〜１２e,１０２〜１０５,１１１〜１１５,１２１,１２２,２１２,２１３,２１２a,２１２b,２１３c,２４１〜２４３,２３２〜２３４)によって、ドア２,２０２の外側から中央側に向かって押しボタン１０,２１０がスライドすることで、係合ツメ１１,２１１をドア２,２０２の中央側に向けて移動させて、係合ツメ１１,２１１が係合凹部４２aから外れる。このように、押しボタン１０,２１０と係合ツメ１１,２１１を回動させる機構が必要なく、ドア２,２０２の主たる平面に沿って押しボタン１０,２１０と係合ツメ１１,２１１が移動する簡単な構成で、ドア２,２０２の係合ツメ１１,２１１を外箱１の係合凹部４２aに係脱自在にでき、押しボタンと係合ツメを回動させる機構の場合よりも、ドア２,２０２の厚さ方向の幅を薄くできる。したがって、ドア２,２０２を薄くしてデザイン性を向上できる。また、押しボタン１０,２１０をドア２,２０２の外側から中央側に向かって押すだけの単純な操作でドア２,２０２を開くことができ、誤操作を簡単に防ぐことができる。
【００８０】
また、一実施形態のドラム式洗濯機では、
上記押しボタン１０と上記係合ツメ１１とを連結すると共に、上記ドア２に外縁側から中央側に向かってスライド可能に取り付けられた連結部材１２を備えた。
【００８１】
上記実施形態によれば、ドア２に外縁側から中央側に向かってスライド可能に取り付けられた連結部材１２により押しボタン１０と係合ツメ１１とを連結することによって、押しボタン１０と係合ツメ１１との間のリンク機構などが必要なく、構造を簡略化できる。
【００８２】
また、一実施形態のドラム式洗濯機では、
上記連結部材１２は、上記押しボタン１０と上記係合ツメ１１のうちの少なくともどちらかと一体に形成されている。
【００８３】
上記実施形態によれば、押しボタン１０と係合ツメ１１のうちの少なくともどちらかと連結部材１２を一体に形成することにより、ドア２を開くときに力が加わる操作部の強度を向上できる。
【００８４】
また、一実施形態のドラム式洗濯機では、
上記ドア２を閉じた状態で上記押しボタン１０の後面側に、上記ドア２の外縁側に一部が開口する把手用窪み部１０aを設けた。
【００８５】
上記実施形態によれば、ドア２を閉じた状態において、押しボタン１０の後面側にドア２の外縁側に一部が開口する把手用窪み部１０aを設けたことによって、押しボタン１０をドア２の外縁側から中央側に向かって押してドア２を開くときに、押しボタン１０の把手用窪み部１０aに手を入れてドア２を手前に引くことが可能になり、操作性が向上する。
【００８６】
また、一実施形態のドラム式洗濯機では、
上記係脱機構(１２,１２a〜１２e,１０２〜１０５,１１１〜１１５,１４１a,１４１b,２１２,２１３,２１２a,２１２b,２１３c,２４１〜２４３,２３２〜２３４,２１５a,２１５b,２１６a,２１６b)は、上記ドアの外縁側から中央側に向かってスライド可能に取り付けられたスライド部材１２,２１２,２１３と、上記ドア２,２０２に設けられ、上記スライド部材１２,２１２,２１３をスライド可能に案内するガイド部材(１４１a,１４１b,２１５a,２１５b,２１６a,２１６b)と、上記スライド部材１２,２１２,２１３の内側に配置され、上記スライド部材１２,２１２,２１３を上記ドア２,２０２の中央側から外側に向かって付勢するバネ部材(１０２〜１０５)とを有し、
上記スライド部材１２,２１２,２１３が、上記押しボタン１０,２１０および上記係合ツメ１１,２１１と共に上記ドア２,２０２の外縁側から中央側に向かってスライドする。
【００８７】
上記実施形態によれば、ドア２,２０２に設けられたガイド部材(１４１a,１４１b,２１５a,２１５b,２１６a,２１６b)によって、押しボタン１０,２１０および係合ツメ１１,２１１と共にスライド部材１２,２１２,２１３をスライド可能に案内し、そのスライド部材１２,２１２,２１３の内側に配置されたバネ部材(１０２〜１０５)により、スライド部材１２,２１２,２１３をドア２,２０２の中央側から外側に向かって付勢する。これにより、押しボタン１０,２１０が押されないときは、バネ部材(１０２〜１０５)により付勢された押しボタン１０,２１０と共にスライド部材１２,２１２,２１３がドア２,２０２の中央側から外側に向かって移動するので、ドア２,２０２が閉められると、ドア２,２０２の係合ツメ１１,２１１を外箱１の係合凹部４２aに係合させることが可能になる。また、スライド部材１２,２１２,２１３を付勢するバネ部材(１０２〜１０５)をスライド部材１２,２１２,２１３の内側に配置することにより、係脱機構を小型化できる。
【符号の説明】
【００８８】
１…外箱
２,２０２…ドア
３…回転ドラム
４…開口部
５…枠部材
６…操作パネル
７…給水ホース接続口
８…風呂水吸水口
９…乾燥フィルタ装置
１０,２１０…押しボタン
１０a…把手用窪み部
１１,２１１…係合ツメ
１１a…基部
１１b…アーム
１１c…鉤部
１１d…湾曲面
１２…スライド部材
１２a,２１２a…第１案内溝
１２b,２１２b…第２案内溝
１２c,２１３c…第３案内溝
１２d…第４案内溝
１２e…第５案内溝
１４,２１４…取付アングル
１４a,１４b,２１４a,２１４b…固定片
１４c,２１４c…凹部
２０…ドア取付金具
２１,２２１…支持枠
２２,２２２…窓部材
２３…カバー部材
２４,２２４…接続部材
２５…押さえ部材
２６…前面カバー
３０…ヒンジ部
４０…ロック機構
４１…ハウジング
４１a…テーパー面
４２…スライド部
４２a…係合凹部
６１…洗剤ケース
６２…糸くずフィルタ装置
６３…排水ホース接続口
１０２〜１０５,２４１〜２４３…コイルバネ
１１１,２３２…第１突起部
１１２,２３３…第２突起部
１１３,２３４…第３突起部
１１４…第４突起部
１１５…第５突起部
１４１a,１４１b,２１５a,２１５b,２１６a,２１６b…ガイド部材
２１２…第１スライド部材
２１２c…凹部
２１３…第２スライド部材
２１３a…基部
２１３b…屈曲部
【図１】
2015195975.tif 000003
【図２】
2015195975.tif 000004
【図３】
2015195975.tif 000005
【図４Ａ】
2015195975.tif 000006
【図４Ｂ】
2015195975.tif 000007
【図４Ｃ】
2015195975.tif 000008
【図４Ｄ】
2015195975.tif 000009
【図５Ａ】
2015195975.tif 000010
【図５Ｂ】
2015195975.tif 000011
【図５Ｃ】
2015195975.tif 000012
【図６Ａ】
2015195975.tif 000013
【図６Ｂ】
2015195975.tif 000014
【図７Ａ】
2015195975.tif 000015
【図７Ｂ】
2015195975.tif 000016
【図８】
2015195975.tif 000017